(57)【特許請求の範囲】
【請求項１】
塩分濃度の異なる２つの被処理水を処理して浄化水を得る水浄化システムにおいて、
被処理水を取り入れる第一の正浸透膜装置および第二の正浸透膜装置と、
ポンプと、
浄化水を取り出す逆浸透膜装置と、を備え
前記２つの被処理水のうち、塩分濃度の高い第一の被処理水を、前記第一の正浸透膜装置に供給し、前記第一の正浸透膜装置の透過側から排出された水を、前記第二の正浸透膜装置の透過側に供給し、前記第二の正浸透膜の供給側には前記第一の被処理水よりも塩分濃度の低い第二の被処理水を供給し、前記第二の正浸透膜装置の透過側の水を、前記ポンプを介して、前記逆浸透膜装置の供給側に供給し、該逆浸透膜装置の供給側から排出された水を、前記第一の正浸透膜装置の透過側に返送する循環水路を設け、当該循環水路の循環水として、溶質を含み、かつ、有機物を排除した水溶液を用い、
前記循環水路は、前記循環水の溶質について、閉鎖された水路であることを特徴とする水浄化システム。
【請求項２】
前記逆浸透膜装置は、半透膜の片側に設けられ、前記循環水が出入りする循環水出入口と、前記半透膜の反対側に設けられ、浄化水を取り出す浄化水出口と、を有し、
前記第一の正浸透膜装置および前記第二の正浸透膜装置は、半透膜の片側に設けられ、前記循環水が出入りする循環水出入口と、前記半透膜の反対側に設けられ、前記被処理水が出入りする被処理水出入口と、を有することを特徴とする請求項１に記載の水浄化システム。
【請求項３】
循環水中の濃度は、有機物量がＴＯＣ換算で０．１ｍｇ／Ｌ以下であり、前記逆浸透膜装置から前記第一の正浸透膜装置および前記第二の正浸透膜装置へ移動するときのイオン濃度が、１価のイオンの場合には１〜２ｍｏｌ／Ｌ、ｎ価のイオンの場合には１／ｎ〜２／ｎ ｍｏｌ／Ｌであることを特徴とする請求項１または請求項２に記載の水浄化システム。
【請求項４】
循環水中の濃度は、有機物量がＴＯＣ換算で０．１ｍｇ／Ｌ以下であり、前記第一の正浸透膜装置および前記第二の正浸透膜装置で処理を行う前の電荷等量が、前記被処理水の当該処理前の電荷等量の２〜４倍であることを特徴とする請求項１または請求項２に記載の水浄化システム。
【請求項５】
被処理水のいずれか１つが海水であることを特徴とする請求項１乃至３のいずれかに記載の水浄化システム。
【請求項６】
塩分濃度の異なる２つの被処理水を処理して浄化水を得る水浄化方法において、
前記被処理水と循環水とを正浸透膜処理する工程と、
前記正浸透膜処理した循環水を、ポンプで加圧する工程と、
前記加圧した循環水を、逆浸透膜処理する工程と、
を含む水浄化方法において、
前記２つの被処理水のうち、塩分濃度の高い第一被処理水を、第一の正浸透膜装置に供給し、前記第一の正浸透膜装置の透過側から排出された水を、第二の正浸透膜装置の透過側に供給し、前記第二の正浸透膜の供給側には前記第一の被処理水よりも塩分濃度の低い第二の被処理水を供給し、前記第二の正浸透膜装置の透過側の水を、前記ポンプを介して、逆浸透膜装置の供給側に供給し、該逆浸透膜装置の供給側から排出された水を、前記第一の正浸透膜装置の透過側に返送する循環水路を設け、当該循環水路の循環水として、溶質を含み、かつ、有機物を排除した水溶液を用い、
前記循環水は、有機物量がＴＯＣ換算で０．１ｍｇ／Ｌ以下であり、イオン性物質の濃度が、１価のイオンの場合には１〜２ｍｏｌ／Ｌ、ｎ価のイオンの場合には１／ｎ〜２／ｎ ｍｏｌ／Ｌであることを特徴とする水浄化方法。
【発明の詳細な説明】
【技術分野】
【０００１】
本発明は，海水や排水などから浄化された水を得る浄化システムに関する。
【背景技術】
【０００２】
本技術分野の背景技術として特開２０１０−１４９１２３号公報(特許文献１)がある。この公報には、「逆浸透膜装置を用いたろ過処理によって海水を淡水化する海水淡水化方法であって、有機性廃水を生物処理して得られる生物処理水を希釈水として、塩濃度が１．０〜８．０質量％である海水に混合する混合工程と、該混合工程により得られた混合水を前記逆浸透膜装置に供給してろ過処理する混合水処理工程とを実施して海水を淡水化することを特徴とする海水淡水化方法を提供する」手段が記載されている。
【０００３】
この方法により、塩濃度が希釈され、従来の海水淡水化で必要となる逆浸透膜装置への加圧を低く抑え、省エネルギーで海水の淡水化を行うことができる。
【０００４】
また、米国特許出願公開第２００６／０１４４７８９号（特許文献２）には、正浸透（Ｆｏｒｗａｒｄ Ｏｓｍｏｓｉｓ）膜を用いて、海水の塩濃度を希釈する方法が開示されている。
【先行技術文献】
【特許文献】
【０００５】
【特許文献１】特開２０１０−１４９１２３号
【特許文献２】米国特許出願公開第２００６／０１４４７８９号
【発明の概要】
【発明が解決しようとする課題】
【０００６】
特許文献１には、生物処理水により海水を希釈し、希釈後の水を逆浸透膜処理することで淡水を得ることが記載されている。しかし、生物処理水には生物が分解しきれずに残った難分解性有機物が含まれており、難分解性有機物の一部は逆浸透膜表面に吸着や堆積してファウリング（目詰まり）を起こす。
【０００７】
ファウリングが起きると同じ量の浄化された水を得るために運転圧力を増加する必要があり、運転のエネルギー消費を増加させる。さらにファウリングが進んだ場合は膜洗浄を行うためシステム稼働率低下を引き起こす。また、洗浄を繰り返すことで膜性能が劣化し、膜交換につながる。これらのことからファウリングは造水コスト（ランニングコスト）を増加させる課題となっている。
【０００８】
特許文献２には、正浸透膜を通して海水や脱塩後の濃縮水の塩濃度を下水（ＷＷ：Ｗａｓｔｅ Ｗａｔｅｒ）や海水で希釈する工程が記載されている。この方法では、正浸透膜を隔てることにより、下水に含まれるファウリング原因物質の逆浸透処理への流入を防ぐことが可能な一方で、海水中に含まれるファウリング原因物質については考慮がされていない。海水中には、プランクトンなどの微生物の代謝物や前処理工程で除去しきれない微生物などが含まれ、これらがファウリング原因となる課題がある。
【０００９】
本発明では、ファウリング原因物質を逆浸透膜工程に持ち込みを抑えてファウリングを防止する水浄化システムを提供することを目的とする。
【課題を解決するための手段】
【００１０】
上記課題を解決するために、例えば特許請求の範囲に記載の構成を採用する。本願は上記課題を解決する手段を複数含んでいるが、その一例を挙げるならば、被処理水と逆浸透膜の間に半透膜を隔てて閉鎖された水溶液の流路を持つことを特徴とする。
【発明の効果】
【００１１】
本発明によれば，逆浸透膜に逆浸透膜のファウリング原因物質を多量に含む被処理水が直接触れることがないため、逆浸透膜のファウリングを防止して、造水コストを低下することが可能である。
【図面の簡単な説明】
【００１２】
【図１】本発明の一実施例にかかる水浄化システムの処理ブロック図である。
【図２】従来の海水淡水化システムの処理ブロック図である。
【図３】図１の閉鎖水路中の各位置での高浸透圧溶液の濃度変化を示す図である。
【図４】本発明の実施例２の水浄化システムの処理ブロック図である。
【図５】図４の閉鎖水路中の各位置での高浸透圧溶液の濃度変化を示す図である。
【発明を実施するための形態】
【００１３】
以下、本発明にかかる実施例を図面を用いて説明する。
【実施例１】
【００１４】
本実施例の海水淡水化の処理フローを図１に、また、従来の海水淡水化の処理フローを図２に示す。図１と図２の違いは、前処理後の被処理水（海水）と逆浸透膜との間に正浸透処理が存在する場合と存在しない場合である。本実施例では海水淡水化を例として説明するが、逆浸透膜処理を含む水浄化システムであれば、下水や排水の再生処理、純水製造処理等、被処理水に限定を加えるものではない。
【００１５】
図１は、本実施例にかかる水処理システムの概略図である。本実施例の水処理システムでは、ポンプ６と、正浸透膜モジュールと１、逆浸透膜モジュール３と、前処理装置５とを備えており、これらは水路により相互に接続されている。正浸透膜モジュール１は正浸透膜（半透膜）１ａを有し、その片側に被処理水入口と出口を有して被処理水が流れており、反対側は循環水入口と出口とを有して循環水４が流れている。逆浸透膜モジュール３は、逆浸透膜（半透膜）３ａを有し、その片側に循環水入口と出口とを有して循環水が流れており、反対側は浄化水出口を有して浄化水を取り出している。
【００１６】
ポンプ６、逆浸透膜モジュール３、正浸透膜モジュール１は、導水路で結ばれている。ポンプ６は、正浸透膜モジュール１と通った循環水を加圧し、逆浸透膜モジュール３に送り込む。
【００１７】
本実施例の水処理システムの動作を説明する。非処理水（例えば、海水）は前処理装置５にて処理され、正浸透膜モジュール１に送り込まれる。正浸透膜モジュール１内では、被処理水と循環水が正浸透膜１ａを挟んで対向しているが、ここでは被処理水よりも循環水の方が溶質濃度が高くなっている。したがって、浸透圧により、被処理水内の水分子が、半透膜１ａを透過して循環水側に移動する。溶質は正浸透膜１ａを超えて移動しないので、被処理水は濃縮され、濃縮排水として排水される。
【００１８】
正浸透膜モジュール１と通った循環水は、ポンプ６により加圧されて、逆浸透膜モジュール３に送り込まれる。
【００１９】
逆浸透膜モジュール３内では、循環水と浄化水とが逆浸透膜３ａを挟んで対向している。循環水は浄化水よりも圧力が高いので、循環水中の水分子は逆浸透膜３ａを透過し、溶質濃度が極めて小さい浄化水となり、水処理システムから取り出される。逆浸透膜モジュール３中で水分子が浄化水に移動するが溶質は半透過膜３ａを透過しないため、循環水は濃度が高くなり、正浸透膜モジュール１へ移動する。
【００２０】
各構成での処理を詳述する。正浸透膜モジュール１では、正浸透処理を行う。ここで、正浸透処理とは、溶質を通さず溶媒である水分子のみを透過する半透膜１ａを介して上流側（被処理水側）よりも下流側（循環水側）に溶質濃度の高い高浸透圧の循環水４を配置し、正浸透膜１ａを通して点線矢印の方向に水分子が下流側の循環水４に回収される処理を指す。ここでは浸透圧差を利用して水分子の移動を行うために、理論的には動力が不要な処理である。実用的には、水分子の移動を効率よく行うため、上流側（被処理水側）に加圧することも有りうる。
【００２１】
正浸透膜１ａは酢酸セルロース、ポリアミドなどを主成分とするものが知られているが、材質に限定を加えるものではない。また、逆浸透膜として市販されている半透膜も正浸透処理に用いることが可能である。
【００２２】
正浸透膜１ａを介して海水の下流側に配置する循環水４には、ファウリング原因となりうる有機物を排除した水溶液を用いる。例えば、超純水で調製したイオン性物質の水溶液などがある。溶質はファウリング原因となる有機物は極めて低濃度に抑える。イオン性物質としては、スケール原因となる二価の正イオンなどよりも、１価のイオンを用いたほうが望ましいが、とくに限定するものではない。すなわち、循環水４は、有機物濃度が極めて低く、イオン濃度が高い溶液が望ましい。
【００２３】
具体的には、有機物量がＴＯＣ換算で０．１ｍｇ／Ｌ以下であり、イオン性物質の濃度が正浸透膜上流側で海水の２〜４倍の電荷等量の溶液が望ましい。２倍以上でないと十分な浸透圧差がなく、４倍以下でないと逆浸透膜膜の負担が大きすぎる。食塩水の場合は６〜１２％、他のイオン性物質を使う場合、１価のイオンの場合に正電荷（全体として中性なので負電荷も同数ある）が１〜２ｍｏｌ／Ｌの間となる。すなわち、ｎ価のイオンが発生する場合は元のイオン性物質は１／ｎ〜２／ｎ ｍｏｌ／Ｌ溶解する。本実施例では、３．２％の塩濃度の海水に対して、十分な浸透圧差が得られる１０％のＮａＣｌ水溶液を超純水で調製して循環水として用いた。
【００２４】
高浸透圧溶液４は海水側は正浸透膜１ａを隔てて、逆浸透膜側は逆浸透膜３ａを隔てて、上流、下流と切り離された閉鎖水路２内に保持されている。有機物の阻止能の高い半透膜を用いることにより、循環水には有機物が外部から浸入することがない。逆浸透膜３ａに接する循環水及び浄化水は、いずれも有機物濃度が低いため、ファウリングが発生しにくい。また、正浸透膜モジュール１の正浸透膜１ａは、被処理水中には有機物が含まれているが、被処理水を強く加圧しているわけではないので、ファウリングは起こりにくい。また、ファウリングが発生したとしても、正浸透処理では濃度差によって浸透が起こるものであるので、運転圧力に及ぼす影響は少ない。
【００２５】
逆浸透膜モジュール１では、逆浸透処理を行う。ここで、逆浸透処理とは、溶質を通さず溶媒である水分子のみを透過する逆浸透膜（半透膜）３ａを介して上流側（循環水側）を下流側（浄化水側）よりも高い圧力にすることで、循環水は浄化水よりも高浸透圧にもかかわらず、循環水４内の水分子が逆浸透膜３ａを通して点線矢印の方向に水分子が下流側の浄化水に回収される処理を指す。ここでは浸透圧差に逆らって水分子の移動を行うために、動力が必要となる。そのため、もし半透膜３ａに目詰まりが発生した場合には、動力の損失が大きくなるが、本実施例では、半透膜３ａは有機物濃度の低い循環水と浄化水との間にあるため、ファウリングが発生しにくくなっている。
【００２６】
図２に示す従来の水処理システムでは、逆浸透膜３ａが有機物を含む被処理水に触れ、かつ、ポンプにより加圧された水が当たる位置にあるため、逆浸透膜３ａに被処理水中の有機物が付着してファウリングが発生し、運転中に動力が増加してしまう。
【００２７】
本実施例の水処理システムにおいて、海水を砂ろ過、限外ろ過膜で処理して溶液中の夾雑物（不溶成分）を除去したところ、被処理水にはＴＯＣ（全有機炭素量）換算で１０ｍｇ／Ｌの溶解有機物成分が存在した。被処理水を正浸透膜処理したところ、循環水４である１０％のＮａＣｌ水溶液は５％まで希釈され、また、正浸透膜１ａ近傍の循環水を採取してＴＯＣを測定したところ、０．１ｍｇ／Ｌ以下であった。
【００２８】
５％のＮａＣｌ水溶液を逆浸透膜処理し、浄化水を得た。但し、逆浸透膜処理にかかるポンプ動力は図２に示す従来の動力が６ＭＰａであるのに対して、８ＭＰａにあげて透過水量を確保した。
【００２９】
逆浸透膜３ａのファウリングは抑制され、同一透過水量を得るための運転圧力の増加は二週間の間で見られなかった。一方、海水に直接触れる正浸透処理の半透膜表面は、加圧することがないのでファウリング物質が圧力によって押し付けられることがなく、ファウリングは生じにくい状態を保っていた。
【００３０】
逆浸透膜処理により、逆浸透膜処理により循環水は濃縮され、再び１０％の濃度となって、正浸透膜モジュール１側に返送される。高浸透圧溶液の各処理位置での濃度変化を図３に示す。ここで、横軸のＡ〜Ｄは図１中のＡ〜Ｄの位置を示す。
【実施例２】
【００３１】
実施例１に加えて、さらに従来の海水淡水化に比べて省エネルギーや海水の取水量低減の効果も得られる方法として実施例２のシステムを図４に示す。実施例１との相違は、正浸透膜モジュールを複数備えている点である。
【００３２】
図４においては、実施例１と同様に第一の被処理水である塩濃度３．２％の海水から第一の正浸透膜モジュール１を介して循環水４に水を回収して５％の濃度のＮａＣｌ溶液を得たのち、第二の被処理水である下水の生物処理水（塩濃度０．３％）から第二の正浸透膜モジュール８を介して５％の濃度のＮａＣｌ溶液側に水を回収して２％のＮａＣｌ溶液を得る。次に、２％のＮａＣｌ溶液をポンプ６で加圧し逆浸透膜モジュール３で処理して浄化水を得る。ここでは便宜上、閉鎖された水路内の水をどの状態でも循環水と呼ぶ。逆浸透膜処理を多段で行って浄化水の回収率を上げ、高浸透圧溶液の濃度を１０％まで回復し、第一の正浸透膜モジュール１に返送する。このときの循環水の濃度の変化を図５に示す。
【００３３】
海水に含まれる有機物量はＴＯＣ換算で１０ｍｇ／Ｌ、生物処理水中に含まれる有機物量はＴＯＣ換算で４ｍｇ／Ｌだったが、循環水中のＴＯＣ量は０．１ｍｇ／Ｌ以下に保たれ、逆浸透膜のファウリングに対する効果は実施例１と同様に得られた。
【００３４】
さらに、逆浸透膜の運転圧力は従来の図２の方法では６ＭＰａであったところ、逆浸透膜近傍では高浸透圧溶液が２％まで希釈されたため、４ＭＰａで十分な透過水量を得ることができた。これにより従来よりも省エネルギーの海水淡水化が可能となる効果が得られた。
【００３５】
さらなる効果として、単位淡水量に対する海水取水量および濃縮海水排出量を低減することができ、環境に与える影響を低減する効果も得られた。
【００３６】
本実施例においては、第二の被処理水を下水の生物処理水としたが、塩濃度が海水濃度以下であれば、河川水、井戸水、産業排水の一次処理水等を用いることが可能であり、とくに限定するものではないが、第二の処理水の塩濃度は十分な浸透圧差を得るために１％以下であることが望ましい。
【００３７】
本実施例では、被処理水を２つとしたが、３つ以上の浸透圧の異なる被処理水を浸透圧が高い順に配置し、正浸透膜モジュールを介して水を回収するシステムも設計できる。
【符号の説明】
【００３８】
１・・・正浸透膜モジュール，１ａ・・・正浸透膜（半透膜），２・・・閉鎖水路，３・・・逆浸透膜モジュール，３ａ・・・逆浸透膜（半透膜），４・・・循環水，５・・・前処理装置，６・・・ポンプ，７・・・生物処理槽。
【図１】
0005941629.tif 000002
【図２】
0005941629.tif 000003
【図３】
0005941629.tif 000004
【図４】
0005941629.tif 000005
【図５】
0005941629.tif 000006